(57)【要約】【課題】位相差板の位置合わせが困難である。【解決手段】貼付治具は、位相差板を表示部に貼り付ける貼付治具であって、前記貼付治具は、前記位相差板を前記表示部へと押圧する押圧部と、前記押圧部を取り外し可能に前記位相差板に貼り付ける粘着層と、前記押圧部に設けられた把持可能な把持部とを備える。位相差板の貼付方法は、把持可能な把持部が設けられた押圧部を有する貼付治具を、粘着層によって位相差板に取り外し可能に貼り付ける段階と、前記位相差板を表示部に載置する載置段階と、前記把持部を把持して、前記位相差板の位置合わせをする位置合わせ段階と、前記位相差板から前記貼付治具を取り外す取り外し段階とを備える。【選択図】図４
2012234039.tif 000002
【特許請求の範囲】
【請求項１】
位相差板を表示部に貼り付ける貼付治具であって、
前記貼付治具は、
前記位相差板を前記表示部へと押圧する押圧部と、
前記押圧部を取り外し可能に前記位相差板に貼り付ける粘着層と、
前記押圧部に設けられた把持可能な把持部と
を備える貼付治具。
【請求項２】
前記押圧部は、平面視において、中央部に形成された開口部を囲むように形成されている
請求項１に記載の貼付治具。
【請求項３】
前記押圧部は、平面視において、中央部に形成された開口部の一部を囲むように形成されている
請求項２に記載の貼付治具。
【請求項４】
前記押圧部は、前記位相差板の外周部から外周部がはみ出す保護膜の一部であって、
前記把持部は、前記保護膜の外周部によって形成される
請求項１から３のいずれか１項に記載の貼付治具。
【請求項５】
前記押圧部は、保護膜を介して、前記粘着層により前記位相差板に貼り付けられ、
前記粘着層の粘着力は、前記保護膜と前記位相差板との粘着力よりも強い
請求項１から３のいずれか１項に記載の貼付治具。
【請求項６】
把持可能な把持部が設けられた押圧部を有する貼付治具を、粘着層によって位相差板に取り外し可能に貼り付ける段階と、
前記位相差板を表示部に載置する載置段階と、
前記把持部を把持して、前記位相差板の位置合わせをする位置合わせ段階と、
前記位相差板から前記貼付治具を取り外す取り外し段階と
を備える位相差板の貼付方法。
【請求項７】
前記載置段階では、前記位相差板と前記表示部との間に流体を塗布する
請求項６に記載の位相差板の貼付方法。
【請求項８】
前記流体は、グリセリンを含む水溶液である
請求項７に記載の位相差板の貼付方法。
【請求項９】
前記位相差板は、入力された偏光の偏光特性を変調させる第１位相差部と、入力された偏光を前記第１位相差部と異なる偏光特性の偏光に変調させる第２位相差部とを有し、
前記位置合わせ段階では、
前記表示部が、前記第１位相差部が設置される領域に第１画像を出力するとともに、前記第２位相差部が設置される領域に前記第１画像とは異なる第２画像を出力する
請求項６または７に記載の位相差板の貼付方法。
【発明の詳細な説明】
【技術分野】
【０００１】
本発明は、貼付治具及び位相差板の貼付方法に関する。
【背景技術】
【０００２】
液晶ディプレイ等の表示部に貼り付ける位相差板が知られている（例えば、特許文献１参照）。
特許文献１  特開２０１０−２８４８７３号公報
【発明の概要】
【発明が解決しようとする課題】
【０００３】
しかしながら、位相差板の位置合わせにおいて、表示部への位相差板の貼り合わせは、粘着剤または接着剤等を介して行う。この場合、位相差板を表示部上に置いてしまうと粘着剤等の存在により位置の調整が難しく、円滑に移動させかつ微調整することが困難であるといった課題がある。
【課題を解決するための手段】
【０００４】
本発明の第１の態様においては、位相差板を表示部に貼り付ける貼付治具であって、前記貼付治具は、前記位相差板を前記表示部へと押圧する押圧部と、前記押圧部を取り外し可能に前記位相差板に貼り付ける粘着層と、前記押圧部に設けられた把持可能な把持部とを備える貼付治具を提供する。
【０００５】
本発明の第２の態様においては、把持可能な把持部が設けられた押圧部を有する貼付治具を、粘着層によって位相差板に取り外し可能に貼り付ける段階と、前記位相差板を表示部に載置する載置段階と、前記把持部を把持して、前記位相差板の位置合わせをする位置合わせ段階と、前記位相差板から前記貼付治具を取り外す取り外し段階とを備える位相差板の貼付方法を提供する。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】位相差板１８が貼り付けられた制御装置１０の全体構成図である。
【図２】図１のＩＩ−ＩＩ線に沿った縦断面図である。
【図３】表示部１６及び位相差板１８の分解斜視図である。
【図４】位相差板１８を表示部１６に貼り付けるための貼付治具の全体斜視図である。
【図５】貼付治具６０による位相差板１８の貼り付け方法を説明する図である。
【図６】貼付治具６０による位相差板１８の貼り付け方法を説明する図である。
【図７】貼付治具６０による位相差板１８の貼り付け方法を説明する図である。
【図８】貼付治具６０による位相差板１８の貼り付け方法を説明する図である。
【図９】貼付治具６０による位相差板１８の貼り付け方法を説明する図である。
【図１０】貼付治具６０による位相差板１８の貼り付け方法を説明する図である。
【図１１】貼付治具６０による位相差板１８の貼り付け方法を説明する図である。
【図１２】位相差板１８の位置合わせ方法を説明する概略平面図である。
【図１３】位相差板１８の位置合わせ方法を説明する概略平面図である。
【図１４】位相差板１８の位置合わせ方法を説明する概略平面図である。
【図１５】形状を変更した貼付治具の全体斜視図である。
【図１６】形状を変更した貼付治具の全体斜視図である。
【図１７】形状を変更した貼付治具の全体斜視図である。
【図１８】形状を変更した貼付治具の全体斜視図である。
【図１９】形状を変更した貼付治具の全体斜視図である。
【図２０】形状を変更した貼付治具の全体斜視図である。
【図２１】貼付治具の一部として保護膜を適用した実施形態を説明する図である。
【図２２】貼付治具の一部として保護膜を適用した実施形態を説明する図である。
【図２３】貼付治具の一部として保護膜を適用した実施形態を説明する図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、位相差板１８が貼り付けられた制御装置１０の全体構成図である。図１に示すように、制御装置１０の一例は、パーソナルコンピュータである。制御装置１０は、各部を収容及び保持する枠体１２と、ユーザが指示等を入力する操作部１４と、画像を表示する表示部１６とを有する。位相差板１８は、表示部１６よりも一回り小さい長方形状に形成されている。例えば、表示部１６の大きさがＡ４サイズである場合、位相差板１８は、２５０ｍｍ×１５０ｍｍの長方形状である。位相差板１８は、例えば、０．２ｍｍの厚みを有する。位相差板１８は、表示部１６の中央部に貼り付けられる。
【００１０】
図２は、図１のＩＩ−ＩＩ線に沿った縦断面図である。図２に示すように、位相差板１８は、位相差板接着層２２と、位相差部２４とを有する。
【００１１】
位相差板接着層２２は、表示部１６の前面に設けられている。位相差板接着層２２は、位相差板１８を表示部１６に直接的または間接的に接着して保持する。
【００１２】
位相差部２４は、位相差板接着層２２を介して、表示部１６の前面に設けられている。位相差部２４には、同じ偏光特性の偏光からなる右目用画像及び左目用画像が入力される。位相差部２４は、両画像を互いに偏光特性の異なる偏光からなる右目用画像及び左目用画像に変換して出力する。ユーザは、三次元画像用の眼鏡３０を介して、これらの画像を見る。
【００１３】
図３は、表示部１６及び位相差板１８の分解斜視図である。図３に示すように、表示部１６は、光源３２と、偏光板３４と、画像出力部３６と、偏光板３８とを備える。
【００１４】
光源３２は、面内において略均一な強度で、白色の無偏光を出力する。光源３２は、ユーザから見て、表示部１６の最後方に配置されている。光源３２には、拡散板と冷陰極管（ＣＣＦＬ：Cold Cathode Fluorescent Lamp）とを組み合わせた光源、フレネルレンズと発光ダイオードとを組み合わせた光源、有機ＥＬ（Electro-Luminescence）を含む光源等を適用できる。
【００１５】
偏光板３４は、光源３２の前面に接着されている。偏光板３４は、ＰＶＡ（ポリビニルアルコール）を含む樹脂によって構成されている。尚、偏光板３４を構成する材料は、適宜変更してよい。図３の矢印で示すように、偏光板３４は、水平方向から４５°傾斜した透過軸と、透過軸と直交する吸収軸とを有する。これにより、光源３２から出力されて、偏光板３４に入射した無偏光の光のうち、振動方向が偏光板３４の透過軸と平行な成分は透過するとともに、吸収軸と平行な成分は吸収されて遮断される。このため偏光板３４から出力される光は、偏光板３４の透過軸と平行な偏光軸を有する直線偏光となる。
【００１６】
画像出力部３６は、偏光板３４の前面に設けられている。画像出力部３６は、画像を生成する複数の画素（＝ピクセル）を有する。複数の画素は、鉛直方向及び水平方向に一定のピッチで二次元に配列されている。画素は、画像を扱うときの単位をいい、色調及び階調の色情報を出力する。各画素は、３個の副画素（＝サブピクセル）を有する。各副画素は、液晶部と、液晶部の前後面に形成された一対の透明電極とを有する。透明電極は、液晶部に電圧を印加する。電圧が印加された副画素の液晶部は、直線偏光の偏光軸を９０°回転させる。これにより、画像出力部３６は、後述する偏光板３８を透過する光と遮断される光とを出力して、画像を生成する。各画素に含まれる３個の副画素は、それぞれ赤色のカラーフィルタと、緑色のカラーフィルタと、青色のカラーフィルタとを含む。副画素の透明電極の電圧印加を制御することにより、副画素から出力される赤色、青色、緑色の光の程度を調整して、カラー画像が生成される。
【００１７】
画像出力部３６は、二次元画像及び三次元画像を出力する。画像出力部３６は、二次元画像を出力する場合、全面から画像を出力する。一方、画像出力部３６は、三次元画像を出力する場合、中央部の三次元領域４０から画像を出力する。三次元領域４０は、図３に「Ｒ」及び「Ｌ」で示すように、右目用の画像を出力する右目用画像出力部４２及び左目用画像出力部４４を有する。右目用画像出力部４２及び左目用画像出力部４４は、水平方向に延びる長方形状であって、互いに同形状である。右目用画像出力部４２及び左目用画像出力部４４は、鉛直方向に沿って、交互に配置されている。
【００１８】
偏光板３８は、画像出力部３６の前面に設けられている。偏光板３８は、ＰＶＡ（ポリビニルアルコール）を含む樹脂によって構成されている。偏光板３８は、透過軸と、透過軸と直交する吸収軸とを有する。偏光板３８の透過軸は、偏光板３４の透過軸と直交する。これにより、画像出力部３６によって偏光軸が、９０°回転された直線偏光は、偏光板３８を透過して画像光となり画像を形成する。一方、画像出力部３６によって偏光軸が回転されなかった直線偏光は、偏光板３８によって遮断される。尚、偏光板３８の透過軸と偏光板３４の透過軸とを９０°以外の角度で交差させてもよい。
【００１９】
図３に示すように、位相差板１８の位相差部２４は、右目用位相差部４６及び左目用位相差部４８を有する。右目用位相差部４６及び左目用位相差部４８は、水平方向に延びる長方形状であって、右目用画像出力部４２及び左目用画像出力部４４と同形状である。右目用位相差部４６は、右目用画像出力部４２の前方に配置されている。左目用位相差部４８は、左目用画像出力部４４の前方に配置されている。従って、前方から見ると、右目用位相差部４６は右目用画像出力部４２と重なり、左目用位相差部４８は左目用画像出力部４４と重なる。
【００２０】
右目用位相差部４６は、入力された直線偏光の偏光特性を変調させて、円偏光にする１／４波長板である。右目用位相差部４６の光学軸は、図３の右目用位相差部４６の左端に記載する矢印のように、鉛直方向と平行である。これにより、右目用位相差部４６は、光学軸の矢印の右側に示す矢印のように、表示部１６から入力された直線偏光を右回りの円偏光に変調する。尚、光学軸は、進相軸または遅相軸である。
【００２１】
左目用位相差部４８は、入力された直線偏光の偏光特性を変調させて、右目用位相差部４６が出力する円偏光とは異なる円偏光にする１／４波長板である。左目用位相差部４８の光学軸は、図３の左目用位相差部の右端に記載する矢印のように、水平方向と平行である。これにより、左目用位相差部４８は、光学軸の矢印の右側に示す矢印のように、表示部１６から入力された直線偏光を左回りの円偏光に変調する。従って、右目用位相差部４６及び左目用位相差部４８は、入力する偏光の偏光特性を変調させて、互いに異なる偏光特性を有する右目用画像及び左目用画像を出力する。
【００２２】
ユーザが三次元画像を見る場合に使用する眼鏡３０は、右目用レンズ２６と左目用レンズ２８とを有する。右目用レンズ２６は、右回りの円偏光のみを透過する。左目用レンズ２８は、左回りの円偏光のみを透過する。これにより、ユーザの右目は、右目用位相差部４６から出力された右目用の画像のみを視認して、ユーザの左目は、左目用位相差部４８から出力された左目用の画像のみを視認する。
【００２３】
各右目用位相差部４６及び左目用位相差部４８は、基板と、基板上に形成された配向膜及び液晶膜を含む。基板は、シクロオレフィン系のフィルムによって構成することができる。シクロオレフィン系フィルムとして、シクロオレフィンポリマー（＝ＣＯＰ）、より好ましくは、シクロオレフィンポリマーの共重合体であるシクロオレフィンコポリマー（＝ＣＯＣ）を使用することができる。また、基板は、トリアセチルセルロース（＝ＴＡＣ）を含む材料によって構成してもよい。尚、シクロオレフィン系フィルムを使用する場合は、脆弱性の観点から高靭性タイプのフィルムを使用することが好ましい。更に、基板は、ガラスによって構成してもよい。配向膜は、公知の光配向性化合物を適用できる。光配向性化合物の例として、光分解型、光二量子型、光異性型等の化合物をあげることができる。液晶膜は、紫外線または加熱等によって硬化可能な液晶ポリマーによって構成することができる。液晶膜は、各右目用位相差部４６及び左目用位相差部４８の領域に形成された配向膜の配向に沿って、配向される。
【００２４】
上述した位相差板１８が貼り付けられた表示部１６を有する制御装置１０の三次元画像の表示動作を説明する。尚、二次元画像の表示動作については、通常の表示動作と同様のため省略する。
【００２５】
まず、光源３２から出力された無偏光の光のうち、偏光板３４は、透過軸と平行な方向に振動する光の成分のみを透過する。これにより、偏光板３４は、透過軸と平行な直線偏光を出力する。画像出力部３６の右目用画像出力部４２及び左目用画像出力部４４は、この直線偏光の一部の偏光軸を９０°回転させてから同じ偏光特性を有する右目用画像及び左目用画像を出力する。偏光板３８は、画像出力部３６によって偏光軸が９０°回転された直線偏光のみを透過させる。位相差板１８では、右目用画像出力部４２が偏光板３８を透過した直線偏光を右回りの円偏光に変調させるとともに、左目用画像出力部４４が偏光板３８を透過した直線偏光を左回りの円偏光に変調させる。これにより、眼鏡３０をかけたユーザの右目には、右目用画像出力部４２から出力されて、右目用位相差部４６によって右回りの円偏光に変調された右回りの円偏光からなる右目用画像が入射する。また、ユーザの左目には、左目用画像出力部４４から出力されて、左目用位相差部４８によって左回りの円偏光に変調された左回りの円偏光からなる左目用画像が入射する。これにより、ユーザは、三次元画像を視認する。
【００２６】
図４は、位相差板１８を表示部１６に貼り付ける貼付治具の全体斜視図である。貼付治具６０は、治具粘着層６２と、押圧部６４と、一対の把持部６６とを有する。
【００２７】
治具粘着層６２は、押圧部６４を取り外し可能に、且つ、直接的または間接的に位相差板１８に貼り付ける。治具粘着層６２は、押圧部６４の一方の面の全面に設けられている。尚、ここでいう間接的に接着するとは、例えば、保護膜等を介して、貼付治具６０を位相差板１８に接着することをいう。
【００２８】
押圧部６４は、位相差板１８を表示部１６へと押圧する。押圧部６４は、長方形状に形成されている。押圧部６４は、位相差板１８よりも一回り小さい。押圧部６４の中央には、長方形状の開口部６８が形成されている。従って、押圧部６４は、開口部６８を囲むように形成されている。開口部６８の面積の一例は、位相差板１８の５０％〜９０％である。押圧部６４は、軽量な材料によって構成される。押圧部６４を構成する材料の一例は、厚紙、耐水性の高いコート紙である。また、押圧部６４を構成する材料の他の例は、ポリプロピレン、ポリスチレン、塩化ビニル、ポリカーボネート、ポリエステル等のプラスチックである。押圧部６４の厚みの一例は、０．５ｍｍ〜５．０ｍｍである。
【００２９】
一対の把持部６６は、位相差板１８の貼付工程において、ユーザによって把持される。把持部６６は、押圧部６４の他方の面に設けられている。把持部６６は、押圧部６４を挟み治具粘着層６２と反対側に配置される。一方の把持部６６は、押圧部６４の中心を挟み他方の把持部６６と反対側に配置されている。把持部６６は、押圧部６４から突出している。これにより、ユーザは、容易に把持部６６を把持できる。把持部６６は、円柱状に形成されている。尚、把持部６６は、円柱状以外であってもよい。把持部６６を構成する材料の一例は、押圧部６４と同じ材料である。把持部６６は、押圧部６４と一体的に構成してもよく、押圧部６４と別部品にしてもよい。尚、把持部６６の形状、個数、位置、材料は適宜変更してよい。
【００３０】
図５〜図１１は、貼付治具６０による位相差板１８の貼り付け方法を説明する図である。図５、図７、図８、図１０、図１１は斜視図である。図６は、図５のＶＩ−ＶＩ線に沿った断面図である。図９は、図８のＩＸ−ＩＸ線に沿った断面図である。
【００３１】
図７〜図１１において、制御装置１０の操作部１４は、省略する。尚、制御装置１０が完成している状態で、この貼り付け方法を実行するが、制御装置１０の完成前に実行してもよい。この貼り付け方法は、表示部１６を水平または水平に近い状態で実行することが好ましい。
【００３２】
まず、図５及び図６に示すように、保護膜７０が設けられた位相差板１８及び貼付治具６０を準備する。尚、保護膜７０は、省略してもよい。保護膜７０は、位相差部２４の面のうち、位相差板接着層２２と反対側の面に設けられている。保護膜７０は、保護粘着層７２を介して、位相差板１８に貼り付けられている。貼付治具６０が、保護膜７０を介して、治具粘着層６２により位相差板１８の一面に貼り付けられる。位相差板接着層２２の接着力及び治具粘着層６２の粘着力は、保護粘着層７２の粘着力よりも強いことが好ましい。尚、粘着力の強さの関係は、粘着剤の硬さ、剥がし方（９０°方向、１８０°方向の剥がし方）、凝集破壊、界面破壊など複数の要因を考慮して適宜変更してよい。
【００３３】
次に、図７に示すように、表示部１６の前面の一部に流体７６を塗布する。流体７６を塗布する領域は、位相差板１８が貼り付けられる領域の内部のみであることが好ましい。流体７６の一例は、界面活性剤を含む水である。流体７６の他の例は、グリセリンを含む水溶液である。この場合、以下の利点がある。まず、粘着層を介さずとも位相差板１８と表示部１６とを密着させることができる。また、粘着層を介さないので、コストが下がる。更に、粘着層があり、水を介す場合に比べ、なめらかに移動させることができるとともに、位相差板１８を何回も貼り直しできる。流体７６を塗布する前に、枠体１２と表示部１６との境界の全周にわたって、当該境界を跨ぐように遮蔽部材７８を設けることが好ましい。遮蔽部材７８には、防水テープ等を適用することができる。これにより、流体７６が、枠体１２と表示部１６との隙間から内部へ流入することを抑制できる。
【００３４】
図８及び図９に示すように、流体７６が塗布された表示部１６上に、貼付治具６０とともに、位相差板１８を載置する。この状態では、図９に示すように、流体７６が、表示部１６と位相差板１８との間に存在するので、位相差板１８は、表示部１６の一面を低抵抗で移動できる。ユーザは、把持部６６を把持して、位相差板１８を表示面上で滑らすことによって、位相差板１８を表示部１６に対して移動させる。これにより、ユーザは、位相差板１８を表示部１６内の三次元領域４０へと位置合わせする。
【００３５】
次に、位置合わせが終了すると、ユーザは、把持部６６を介して押圧部６４により位相差板１８を表示部１６に押圧して固定しつつ、図１０に示すように、表示部１６と位相差板１８との間に介在する流体７６を押し出す。流体７６の吐き出し方法の一例は、ゴムベラ８０等を貼付治具６０の開口部６８の内部で摺動させる。
【００３６】
吐き出した流体を表示部１６上から除去した後、遮蔽部材７８を除去する。最後に、図１１に示すように、位相差板１８から保護膜７０とともに貼付治具６０を取り外して除去する。尚、位相差板１８及び保護膜７０を別々に取り外してもよい。ここで、保護粘着層７２の粘着力は、位相差板接着層２２の接着力及び治具粘着層６２の粘着力よりも弱い。従って、ユーザは、把持部６６を持ち上げることによって、位相差板１８の位置ずれを抑制しつつ、保護膜７０及び貼付治具６０を位相差板１８から剥がすことができる。これにより、表示部１６への位相差板１８の貼り付け工程が終了する。尚、貼付治具６０は、保護膜７０から取り外して再利用してもよい。
【００３７】
図１２、図１３、図１４は、位相差板１８の位置合わせ方法を説明する概略平面図である。尚、図１２、図１４において、説明の都合上、右目用画像出力部４２及び左目用画像出力部４４の位置を、右目用位相差部４６及び左目用位相差部４８の位置より左側にしているが、両位置は略同じである。右目用画像出力部４２及び左目用画像出力部４４の形状及び周期は、右目用位相差部４６及び左目用位相差部４８の形状及び周期と見掛け上一致する。しかし、厳密には、両者の形状及び周期は異なる。具体的には、右目用位相差部４６及び左目用位相差部４８の形状及び周期は、右目用画像出力部４２及び左目用画像出力部４４の形状及び周期よりも小さい。尚、右目用位相差部４６は、第１位相差部の一例であって、左目用位相差部４８は、第２位相差部の一例である。
【００３８】
三次元領域４０のうち、図１２に細線ハッチングで示す上半分の右目用画像出力部４２を緑色領域９０とする。位置合わせにおいて、緑色領域９０では、緑色単色のベタ画像が全面から出力される。緑色単色のベタ画像は、右目用位相差部４６用の画像であって第１画像の一例である。緑色領域９０は、右目用位相差部４６が設置される領域である。三次元領域４０のうち、図１２に太線ハッチングで示す下半分の左目用画像出力部４４を赤色領域９２とする。位置合わせにおいて、赤色領域９２では、緑色領域９０とは色の異なる赤色単色のベタ画像が全面から出力される。赤色単色のベタ画像は、左目用位相差部４８用の画像であって第２画像の一例である。赤色領域９２は、左目用位相差部４８が設置される領域である。三次元領域４０のうち、図１２にドットハッチングで示す領域を無画像領域９４とする。位置合わせにおいて、無画像領域９４では、光が出力されず、黒色の画面である。
【００３９】
まず、図１２に示すように、右目用位相差部４６及び左目用位相差部４８が、右目用画像出力部４２及び左目用画像出力部４４と完全に重なって、正確に位置合わせされている場合について説明する。この状態では、緑色領域９０から出力された緑色の直線偏光は、右目用位相差部４６によって右回りの円偏光に変調される。また、赤色領域９２から出力された赤色の直線偏光は、左目用位相差部４８によって左回りの円偏光に変調される。ユーザの右目は、右目用位相差部４６と同じ長方形状の緑色の画像を視認するとともに、ユーザの左目は、左目用位相差部４８と同じ長方形状の赤色の画像を視認する。この状態では、ユーザは、表示部１６の水平方向に平行な中心線に関して、上下線対称のモアレを観察する。これにより、ユーザは位置合わせができていることを認識する。
【００４０】
次に、図１３に示すように、位相差板１８が、三次元領域４０に対して、右周りに回転している場合について説明する。この状態では、上半分において、左目用位相差部４８の右上部及び左上部の領域９１が、右目用画像出力部４２の左下部と重なる。これにより、上半分において、右目用画像出力部４２から出力された緑色の光の一部が、左目用位相差部４８の三角形状の領域９１を透過して漏れる。また、下半分において、右目用位相差部４６の右上部及び左下部の領域９３が、左目用画像出力部４４の右上部と重なる。これにより、下半分において、左目用画像出力部４４から出力された赤色の光の一部が、右目用位相差部４６の三角形状の領域９３を透過して漏れる。このため、ユーザは、これらの漏れ画像を含む画像を、水平方向から傾斜した歪んだ縞状、即ち、モアレ縞として観察する。従って、ユーザは、位相差板１８が正常な位置から回転または傾斜していることを認識できる。ユーザは、このモアレ縞が水平になるように位相差板１８を回転または傾斜させて、位相差板１８の回転方向における位相差板１８の位置合わせする。
【００４１】
次に、図１４に示すように、位相差板１８が、三次元領域４０よりも紙面の上方にずれている場合について説明する。この状態では、右目用位相差部４６及び左目用位相差部４８が、対応する右目用画像出力部４２及び左目用画像出力部４４に対して、紙面の上方にずれている。この場合、図１２と同様の画像を出力すると、左目用位相差部４８の領域９１が、右目用画像出力部４２の下部と重なる。これにより、上半分において、右目用画像出力部４２から出力された緑色の光の一部が、左目用位相差部４８の上部を透過して漏れる。また、右目用位相差部４６の領域９３が、左目用画像出力部４４の上部と重なる。これにより、下半分において、左目用画像出力部４４から出力された赤色の光の一部が、右目用位相差部４６の上部を透過して漏れる。ここで、上述したように、右目用位相差部４６及び左目用位相差部４８の形状及び周期は、右目用画像出力部４２及び左目用画像出力部４４の形状及び周期よりも小さい。従って、これらの漏れる光の領域が、上述した形状及び周期の違いによって、中心線を挟み上下で非対称になる。このため、ユーザは、これらの漏れ画像を含む画像を、水平方向に略平行ではあるが、中心線を挟み上下方向に非対称な縞状、即ち、モアレ縞として観察する。これにより、ユーザは位相差板１８が上下方向のいずれかに位置ずれしていることを認識できる。従って、ユーザは、このモアレ縞が中心線を挟み上下対称になるように位相差板１８を移動させることにより、位相差板１８の各辺に沿った方向における位相差板１８の位置合わせをする。
【００４２】
上述したように、貼付治具６０は、ユーザが把持可能な把持部６６を備えている。これにより、ユーザは、把持部６６を把持することによって、位相差板１８を容易に移動させることができる。この結果、ユーザは、位相差板１８を容易にかつ正確に位置合わせできる。
【００４３】
貼付治具６０では、把持部６６が押圧部６４に対して立設している。これにより、ユーザは、把持部６６をより容易に把持できる。これにより、ユーザが、直接、指等で位相差板１８を押圧する場合に比べて、局所的な押圧力が位相差板１８に作用することを抑制することができる。
【００４４】
本実施形態による貼り付け工程では、表示部１６と位相差板１８との間に流体７６を塗布した状態で、位相差板１８の位置合わせをする。これにより、位相差板１８が、表示部１６の一面を低抵抗で移動できる。また、流体７６によって、表示部１６と位相差板１８との間に気体等が混入することを抑制できるので、面内において表示部１６と位相差板１８とを均一に密着させて、位相差板１８に皺等が生じることを抑制できる。これにより、位相差板１８の貼り合わせ後、表示部１６は、高画質の三次元画像を提供できる。また、流体７６によって、位相差板１８が、位置合わせする前に、表示部１６に固定されることを抑制できる。
【００４５】
本実施形態の貼り付け工程では、三次元画像に対応した画像を出力しつつ、ユーザが位相差板１８を位置合わせできる。これにより、位相差板１８の位置合わせの精度を向上させることができる。この結果、三次元画像のクロストークを抑制して、画質を向上させることができる。
【００４６】
図１５〜図２０は、形状を変更した貼付治具の全体斜視図である。図１５〜図２０を参照して、貼付治具の実施形態について説明する。
【００４７】
図１５に示すように、貼付治具１６０を直線状に形成してもよい。本実施形態の貼付治具１６０は、直線状の押圧部１６４と、押圧部１６４の一方の面の両端に設けられた一対の把持部１６６と、押圧部１６４の他方の面に設けられた貼付接着層１６２とを有する。押圧部１６４は、位相差板１８の長辺よりも短く、短辺よりも長い。貼付治具１６０は、位相差板１８の一面の何れに配置してもよい。例えば、貼付治具１６０は、位相差板１８の中央部に配置してもよく、移動させる方向に合わせて、位相差板１８のいずれかの辺の近傍に設けてもよい。更には、貼付治具１６０は、位相差板１８の辺に対して平行であってもよく、傾斜させて配置してもよい。
【００４８】
図１６に示すように、貼付治具２６０を一対の略正方形状に形成してもよい。本実施形態の貼付治具２６０は、略正方形状の一対の押圧部２６４と、各押圧部２６４の一方の面に設けられた一対の把持部２６６と、押圧部２６４の他方の面に設けられた貼付接着層２６２とを有する。貼付治具２６０は、位相差板１８の一面の何れに配置してもよい。貼付治具２６０は、位相差板１８の中心を挟み両側に押圧部２６４を配置してもよく、位相差板１８の一面のうち、何れかの辺の近傍に偏らせて配置してもよい。また、一方の押圧部２６４のみを位相差板１８に配置してもよい。
【００４９】
図１７に示すように、平面視において、貼付治具３６０の一方を開口させてもよい。本実施形態の貼付治具３６０は、押圧部３６４と、押圧部３６４の一方の面のうち一辺の両端に設けられた一対の把持部３６６と、貼付接着層３６２とを備える。押圧部３６４は、長方形状の四辺のうち三辺に沿って形成されている。押圧部３６４は、残りの一辺が開口された長方形状に形成される。従って、押圧部３６４は、中央の開口の一部を囲むように形成されている。貼付治具３６０では、表示部１６と位相差板１８との間の流体７６を吐き出す場合、当該開口から吐き出すことができる。これにより、ユーザは、容易に流体７６を吐き出させることができる。
【００５０】
図１８に示すように、貼付治具４６０を一対の長方形状に形成してもよい。本実施形態の貼付治具４６０は、一対の押圧部４６４と、押圧部４６４の一方の面の中央部に設けられた一対の把持部４６６と、押圧部４６４の他方の面に設けられた貼付接着層４６２とを備える。押圧部４６４は、位相差板１８の短辺よりも短い。本実施形態においても、位相差板１８上における貼付治具４６０の配置は適宜変更してよい。また、一方の押圧部４６４のみを位相差板１８に配置してもよい。
【００５１】
図１９に示すように、貼付治具５６０を一対の長方形状に形成してもよい。本実施形態の貼付治具５６０は、一対の押圧部５６４と、一方の押圧部５６４の一方の面の両端に設けられた一対の把持部５６６と、押圧部５６４の他方の面に設けられた貼付接着層５６２とを備える。押圧部５６４は、位相差板１８の長辺よりも短く、短辺よりも長い長方形状に形成されている。
【００５２】
図２０に示すように、貼付治具６６０を一本の長方形状に形成してもよい。本実施形態の貼付治具６６０は、位相差板１８の短辺よりも短い一本の長方形状の押圧部６６４と、押圧部６６４の両端に設けられた一対の把持部６６６と、押圧部６６４の他方の面に設けられた貼付接着層６６２とを備える。
【００５３】
図２１〜図２３は、貼付治具の一部として保護膜を適用した実施形態を説明する図である。
【００５４】
図２１及び図２２は、保護膜７７０の内部の一部を把持部７６６として利用する貼付治具７６０の斜視図である。図２１及び図２２に示すように、本実施形態の貼付治具７６０は、保護膜７７０と、貼付接着層７６２とを備える。保護膜７７０は、平面視において、位相差板１８と略同形状に形成されている。保護膜７７０には、３本の切断線７８２及び切込線７８４が二対形成されている。３本の切断線７８２及び切込線７８４は、保護膜７７０の一部を長方形状に囲む。切断線７８２は、当該長方形の三辺に沿って形成されている。切込線７８４は、残りの一辺に沿って形成されている。切断線７８２は、保護膜７７０を切断している。一方、切込線７８４は、折り曲げ可能に保護膜７７０に形成されている。切込線７８４及び切断線７８２は、保護膜７７０の短辺の中央部の内側近傍に形成されている。切込線７８４は、当該短辺に平行であって、切断線７８２よりも当該短辺に近い位置に配置されている。切込線７８４に沿って、切断線７８２に囲まれた保護膜７７０の一部を上側に折り曲げることによって、ユーザが把持可能な把持部７６６が、保護膜７７０の短辺近傍に形成される。保護膜７７０のうち、把持部７６６以外の領域は、押圧部７６４として機能する。貼付接着層７６２は、保護膜７７０の一面の全面に設けられている。貼付接着層７６２は、保護膜７７０を位相差板１８に接着する。尚、保護膜７７０のうち、把持部７６６として機能する領域は、貼付接着層７６２を省略してもよい。
【００５５】
本実施形態では、保護膜７７０を貼付治具７６０として利用することにより、部品点数の低減及び環境保護を実現させることができる。尚、本実施形態では、貼付治具７６０を位相差板１８に接着した状態で、流通させてもよく、別部品として流通させてもよい。
【００５６】
図２３は、保護膜８７０の外周の一部を把持部８６６として利用する貼付治具８６０の斜視図である。図２３に示すように、本実施形態の貼付治具８６０は、保護膜８７０と、貼付接着層８６２とを備える。保護膜８７０は、平面視において、位相差板１８よりも一回り大きい。従って、保護膜８７０が位相差板１８に接着されると、保護膜８７０の外周部は、位相差板１８の外周からはみ出す。保護膜８７０の当該はみ出し領域のうち、二隅が折り曲げられる。この折り曲げられた外周部の領域が、把持部８６６として機能する。保護膜８７０の把持部８６６以外の領域は、押圧部８６４として機能する。
【００５７】
上述の実施形態では、位相差板１８が入力された直線偏光を円偏光に変調させる例を示したが、位相差板が、直線偏光を偏光軸の方向が異なる偏光に変調させるように構成してもよく、円偏光を直線偏光に変調させるように構成してもよい。
【００５８】
上述の実施系形態の各構成の形状、個数、数値、配置等は適宜変更してよい。
【００５９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６０】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６１】
１０  制御装置、      １２  枠体、      １４  操作部、      １６  表示部、      １８  位相差板、      ２２  位相差板接着層、      ２４  位相差部、      ２６  右目用レンズ、      ２８  左目用レンズ、      ３０  眼鏡、      ３２  光源、      ３４  偏光板、      ３６  画像出力部、      ３８  偏光板、      ４０  三次元領域、      ４２  右目用画像出力部、      ４４  左目用画像出力部、      ４６  右目用位相差部、      ４８  左目用位相差部、      ６０  貼付治具、      ６２  治具粘着層、      ６４  押圧部、      ６６  把持部、      ６８  開口部、      ７０  保護膜、      ７２  保護粘着層、      ７６  流体、      ７８  遮蔽部材、      ８０  ゴムベラ、      ９０  緑色領域、      ９１  領域、      ９２  赤色領域、      ９３  領域、      ９４  無画像領域、      １６０  貼付治具、      １６２  貼付接着層、      １６４  押圧部、      １６６  把持部、      ２６０  貼付治具、      ２６２  貼付接着層、      ２６４  押圧部、      ２６６  把持部、      ３６０  貼付治具、      ３６２  貼付接着層、      ３６４  押圧部、      ３６６  把持部、      ４６０  貼付治具、      ４６２  貼付接着層、      ４６４  押圧部、      ４６６  把持部、      ５６０  貼付治具、      ５６２  貼付接着層、      ５６４  押圧部、      ５６６  把持部、      ６６０  貼付治具、      ６６２  貼付接着層、      ６６４  押圧部、      ６６６  把持部、      ７６０  貼付治具、      ７６２  貼付接着層、      ７６４  押圧部、      ７６６  把持部、      ７７０  保護膜、      ７８２  切断線、      ７８４  切込線、      ８６０  貼付治具、      ８６２  貼付接着層、      ８６４  押圧部、      ８６６  把持部、      ８７０  保護膜
【図１】
2012234039.tif 000003
【図２】
2012234039.tif 000004
【図３】
2012234039.tif 000005
【図４】
2012234039.tif 000006
【図５】
2012234039.tif 000007
【図６】
2012234039.tif 000008
【図７】
2012234039.tif 000009
【図８】
2012234039.tif 000010
【図９】
2012234039.tif 000011
【図１０】
2012234039.tif 000012
【図１１】
2012234039.tif 000013
【図１２】
2012234039.tif 000014
【図１３】
2012234039.tif 000015
【図１４】
2012234039.tif 000016
【図１５】
2012234039.tif 000017
【図１６】
2012234039.tif 000018
【図１７】
2012234039.tif 000019
【図１８】
2012234039.tif 000020
【図１９】
2012234039.tif 000021
【図２０】
2012234039.tif 000022
【図２１】
2012234039.tif 000023
【図２２】
2012234039.tif 000024
【図２３】
2012234039.tif 000025